(57)【要約】      （修正有）【課題】ヘッドユニット用の伝送部材と支持部材とが擦れ合うことがないようにしながら、伝送部材の点検を容易に行うことができる表面実装装置を提供する。【解決手段】吸着ヘッドを有するヘッドユニットと、Ｘ方向に延びるように形成されてヘッドユニットをＸ方向に移動自在に支持する支持部材とを備える。支持部材を一対のＹ方向ガイドレールに沿ってＹ方向に移動させるＹ方向駆動装置と、支持部材におけるヘッドユニットとは反対側の側部に設けられた第２の支承部材とを備える。ヘッドユニットから第２の支承部材側へ延びる延在部および第２の支承部材の上で横向きＵ字状に延びるＵ字状屈曲部４１を有し、ヘッドユニットと制御装置１７とを接続するケーブル・負圧パイプとからなる伝送部材１１とを備える。ヘッドユニットに、伝送部材１１の延在部を支持部材から上方に離間した位置に保持する離間保持部材４６を備えさせた。【選択図】図４
2007194246.tif 000002
【特許請求の範囲】
【請求項１】
吸着ヘッドを有するヘッドユニットと、
水平方向に延びるように形成されかつその延在する方向からなる第１の方向に前記ヘッドユニットを移動自在に支持する支持部材と、
前記支持部材を一対のレールに沿って前記第１の方向とは交差する第２の方向に移動させる支持部材用移動装置と、
前記支持部材における前記ヘッドユニットとは反対側の側部に設けられた支承部材と、
前記ヘッドユニットから前記支承部材側へ延びる延在部および前記支承部材の上で横向きＵ字状に延びるＵ字状屈曲部を有し、前記ヘッドユニットと制御装置とを接続するケーブル・負圧パイプからなる伝送部材とを備えた表面実装機であって、
前記伝送部材の前記延在部を前記支持部材から上方に離間した位置に保持する離間保持部材を備えていることを特徴とする表面実装機。
【請求項２】
吸着ヘッドを有するヘッドユニットと、
水平方向に延びるように形成されかつその延在する方向からなる第１の方向とは交差する第２の方向の一側部において前記ヘッドユニットを第１の方向に移動自在に支持する支持部材と、
前記支持部材を一対のレールに沿って第２の方向に移動させる支持部材用移動装置と、
前記支持部材における前記ヘッドユニットとは反対側の側部に設けられた支承部材と、
前記ヘッドユニットから前記支承部材側へ延びる延在部および前記支承部材の上で横向きＵ字状に延びるＵ字状屈曲部を有し、前記ヘッドユニットと制御装置とを接続するケーブル・負圧パイプからなる伝送部材とを備えた表面実装機であって、
前記ヘッドユニットは、前記支持部材より高く位置付けられるとともに前記支承部材の上方に臨む保持部材を備え、
前記負圧パイプは、両端部が保持されることにより一定の形状を維持する弾性材料によって形成され、かつヘッドユニットに一端部が保持されるとともに前記保持部材に他端部が保持され、
前記ケーブルは、ヘッドユニットと前記保持部材との間において前記負圧パイプに離れることがないように沿わせたことを特徴とする表面実装機。
【請求項３】
請求項１または請求項２記載の表面実装機において、
伝送部材における支承部材の上に位置する横向きＵ字状の部位の高さは、支持部材より高くなるように形成されていることを特徴とする表面実装機。
【請求項４】
請求項１ないし請求項３のうちいずれか一つに記載の表面実装機において、
ヘッドユニットは、第１の方向に並ぶ状態で一つの支持部材に２台装備され、
これらのヘッドユニットのうち支持部材の一端側に位置するヘッドユニットに接続された伝送部材は、支承部材上の前記一端側を通され、支持部材の他端側に位置するヘッドユニットに接続された伝送部材は、支承部材上の前記他端側を通されていることを特徴とする表面実装機。
【請求項５】
吸着ヘッドを有するヘッドユニットと、
水平方向に延びるように形成されかつその延在する方向からなる第１の方向とは交差する第２の方向の一側部において前記ヘッドユニットを第１の方向に移動自在に支持する支持部材と、
前記支持部材を一対のレールに沿って第２の方向に移動させる支持部材用移動装置と、
前記支持部材における前記ヘッドユニットとは反対側の側部に設けられた支承部材と、
前記ヘッドユニットから前記支承部材側へ延びる延在部および前記支承部材の上で横向きＵ字状に延びるＵ字状屈曲部を有し、前記ヘッドユニットと制御装置とを接続するケーブル・負圧パイプからなる伝送部材とを備えた表面実装機であって、
前記支持部材は、平面視において第１の方向に延びる一対の第１の枠部と、この第１の枠部の間に位置する第２の枠部とによって額縁状に形成され、
ヘッドユニットは、平面視において前記支持部材の内側に位置付けられ、かつ第１の方向に並ぶ状態で一つの支持部材に２台装備され、
これらのヘッドユニットのうち支持部材の一端側に位置するヘッドユニットに接続された伝送部材は、支承部材上の前記一端側を通され、支持部材の他端側に位置するヘッドユニットに接続された伝送部材は、支承部材上の前記他端側を通され、
これらの伝送部材の前記延在部は、ヘッドユニットに設けられた離間保持部材によって前記支持部材から上方に離間した位置に保持されていることを特徴とする表面実装機。
【発明の詳細な説明】
【技術分野】
【０００１】
本発明は、吸着ヘッドを有するヘッドユニットを水平方向に移動させて電子部品をプリント配線板に実装する表面実装機に関するものである。
【背景技術】
【０００２】
従来のこの種の表面実装機としては、例えば特許文献１や特許文献２に開示されたものがある。これらの特許文献１，２に示されている表面実装機は、吸着ノズルを有する吸着ヘッドをヘッドユニットに支持させ、このヘッドユニットをプリント配線板の上方で水平な２方向へ平行移動させる電子部品移動装置を備えている。この電子部品移動装置は、プリント配線板を搬送するコンベアの上方に設けられており、前記コンベアとともに基台の上に装備されている。以下においては、前記水平な２方向のうちプリント配線板の搬送方向と平行な一方をＸ方向といい、他方をＹ方向という。
【０００３】
前記電子部品移動装置は、基台上でＹ方向に延びる一対のＹ方向送り機構と、前記ヘッドユニットをＸ方向に移動自在に支持し、前記Ｙ方向送り機構によってＹ方向に移動させられる支持部材と、前記ヘッドユニットをＸ方向に移動させるＸ方向送り機構とから構成されている。
【０００４】
前記ヘッドユニットは、前記支持部材のＹ方向の一側部にいわゆる片持ち支持の状態で支持されている。このヘッドユニットに設けられた吸着ヘッドは、上下方向に延びるように形成されており、下端部に吸着ノズルが取付けられている。この種の表面実装機の吸着ヘッドは、特許文献２にも開示されているように、ヘッドユニットに昇降装置を介して昇降自在に支持されるとともに、吸着ノズルを上下方向の軸線回りに回転させるための回転駆動装置を備えている。
【０００５】
前記吸着ノズルに負圧を導くための負圧パイプと、前記昇降装置および回転駆動装置のモータに給電するためのケーブルなどからなる伝送部材は、ヘッドユニットのＸ方向の移動を許容するために、横向きＵ字状に屈曲した状態で支持部材の上に保持されている。
特許文献２に示されている表面実装機は、吸着ノズルに吸着された電子部品を下方から撮像するための撮像装置を備えている。
【０００６】
この撮像装置は、ヘッドユニットをＸ方向に移動自在に支持する支持部材の下端部にＸ方向に移動可能に取付けられている。この撮像装置に接続されたケーブルは、支持部材におけるヘッドユニットが位置するＹ方向の一側部とは反対側の側部に設けられた支承部材の上に横向きＵ字状に延びる状態で保持されている。
【特許文献１】特開２００２−１５１８９８号公報
【特許文献２】特開２００４−３４２６５３号公報
【発明の開示】
【発明が解決しようとする課題】
【０００７】
上述した従来の表面実装機は、ヘッドユニットに接続されている伝送部材が支持部材の上に位置しているため、この伝送部材の点検を行うときに上方から覗き込むようにしなければならず、上記点検作業の作業性が低くなるという問題があった。
このような不具合は、特許文献２中に撮像装置用ケーブルの保持構造として開示されているように、支持部材におけるヘッドユニットとは反対側の側部にヘッドユニット用の伝送部材を保持させることによって解消することができる。
【０００８】
しかしながら、このように構成すると、ヘッドユニット用の伝送部材が支持部材の近傍をＹ方向に横切って下方に延びるようになり、支持部材に接触し易くなってしまう。伝送部材が支持部材に接触すると、ヘッドユニットが移動する毎に伝送部材と支持部材とが擦れ合い、ケーブルの被覆が損傷したり、負圧パイプにおいては穴が開いて吸着ノズルに導かれる負圧が小さくなるおそれもある。
【０００９】
本発明はこのような問題を解消するためになされたもので、ヘッドユニット用の伝送部材と支持部材とが擦れ合うことがないようにしながら、前記伝送部材を支持部材の側部に保持させることにより、伝送部材の点検を容易に行うことができる表面実装機を提供することを目的とする。
【課題を解決するための手段】
【００１０】
この目的を達成するため、本発明に係る表面実装機は、吸着ヘッドを有するヘッドユニットと、水平方向に延びるように形成されかつその延在する方向からなる第１の方向に前記ヘッドユニットを移動自在に支持する支持部材と、前記支持部材を一対のレールに沿って前記第１の方向とは交差する第２の方向に移動させる支持部材用移動装置と、前記支持部材における前記ヘッドユニットとは反対側の側部に設けられた支承部材と、前記ヘッドユニットから前記支承部材側へ延びる延在部および前記支承部材の上で横向きＵ字状に延びるＵ字状屈曲部を有し前記ヘッドユニットと制御装置とを接続するケーブル・負圧パイプからなる伝送部材とを備えた表面実装機であって、前記ヘッドユニットに、前記伝送部材の前記延在部を前記支持部材から上方に離間した位置に保持する離間保持部材を備えさせたものである。
【００１１】
請求項２に記載した発明に係る表面実装機は、吸着ヘッドを有するヘッドユニットと、水平方向に延びるように形成されかつその延在する方向からなる第１の方向に前記ヘッドユニットを移動自在に支持する支持部材と、前記支持部材を一対のレールに沿って前記第１の方向とは交差する第２の方向に移動させる支持部材用移動装置と、前記支持部材における前記ヘッドユニットとは反対側の側部に設けられた支承部材と、前記ヘッドユニットから前記支承部材側へ延びる延在部および前記支承部材の上で横向きＵ字状に延びるＵ字状屈曲部を有し前記ヘッドユニットと制御装置とを接続するケーブル・負圧パイプからなる伝送部材とを備えた表面実装機であって、前記ヘッドユニットに、前記支持部材より高く位置付けられるとともに前記支承部材の上方に臨む保持部材を備えさせ、前記負圧パイプを、両端部が保持されることにより一定の形状を維持する弾性材料によって形成し、かつヘッドユニットに一端部が保持させるとともに前記保持部材に他端部を保持させ、前記ケーブルを、ヘッドユニットと前記保持部材との間において前記負圧パイプに離れることがないように沿わせたものである。
【００１２】
請求項３に記載した発明に係る表面実装機は、請求項１または請求項２に記載した表面実装機において、伝送部材における支承部材の上に位置する横向きＵ字状の部位の高さを支持部材より高くなるように形成したものである。
【００１３】
請求項４に記載した発明に係る表面実装機は、請求項１ないし請求項３のうちいずれか一つに記載した表面実装機において、ヘッドユニットを、第１の方向に並ぶ状態で一つの支持部材に２台装備し、これらのヘッドユニットのうち支持部材の一端側に位置するヘッドユニットに接続された伝送部材を、支承部材上の前記一端側に通し、支持部材の他端側に位置するヘッドユニットに接続された伝送部材を、支承部材上の前記他端側に通したものである。
【００１４】
請求項５に記載した発明に係る表面実装機は、吸着ヘッドを有するヘッドユニットと、水平方向に延びるように形成されかつその延在する方向からなる第１の方向とは交差する第２の方向の一側部において前記ヘッドユニットを第１の方向に移動自在に支持する支持部材と、前記支持部材を一対のレールに沿って第２の方向に移動させる支持部材用移動装置と、前記支持部材における前記ヘッドユニットとは反対側の側部に設けられた支承部材と、前記ヘッドユニットから前記支承部材側へ延びる延在部および前記支承部材の上で横向きＵ字状に延びるＵ字状屈曲部を有し、前記ヘッドユニットと制御装置とを接続するケーブル・負圧パイプからなる伝送部材とを備えた表面実装機であって、前記支持部材は、平面視において第１の方向に延びる一対の第１の枠部と、この第１の枠部の間に位置する第２の枠部とによって額縁状に形成され、ヘッドユニットは、平面視において前記支持部材の内側に位置付けられ、かつ第１の方向に並ぶ状態で一つの支持部材に２台装備され、これらのヘッドユニットのうち支持部材の一端側に位置するヘッドユニットに接続された伝送部材は、支承部材上の前記一端側を通され、支持部材の他端側に位置するヘッドユニットに接続された伝送部材は、支承部材上の前記他端側を通され、これらの伝送部材の前記延在部は、ヘッドユニットに設けられた離間保持部材によって前記支持部材から上方に離間した位置に保持されているものである。
【発明の効果】
【００１５】
本発明によれば、ヘッドユニット用の伝送部材におけるヘッドユニットとＵ字状屈曲部との間の延在部は、離間保持部材によって支持部材より高い位置に保持され、支持部材から上方に離間する状態で支持部材の上を横切るようになる。したがって、前記伝送部材を支持部材におけるヘッドユニットとは反対側の側部に保持する構成を採りながら、伝送部材と支持部材とが擦れ合うことがない。この結果、伝送部材が支持部材と擦れ合うことがないようにしながら、伝送部材の点検を容易に行うことができる表面実装機を提供することができる。
【００１６】
請求項２記載の発明によれば、ヘッドユニット用の伝送部材のうち負圧パイプは、自らの剛性により支持部材から上方に離間する状態を保持し、保持部材から下方の支承部材側に延ばされる。ヘッドユニット用伝送部材のうちケーブルは、前記負圧パイプによって支持部材から上方に離間する位置に保持され、保持部材から下方の支承部材側に延ばされる。
【００１７】
このため、前記負圧パイプとケーブルは、支持部材から上方に離間する状態で支持部材の上を横切るようになる。したがって、前記伝送部材を支持部材におけるヘッドユニットとは反対側の側部に保持する構成を採りながら、伝送部材と支持部材とが擦れ合うことがない。この結果、伝送部材が支持部材と擦れ合うことがないようにしながら、伝送部材の点検を容易に行うことができる表面実装機を提供することができる。
【００１８】
請求項３記載の発明によれば、伝送部材におけるヘッドユニットとＵ字状屈曲部との間の延在部を確実に支持部材から上方に離間させることができる。したがって、伝送部材と支持部材とが擦り合うのをより一層確実に防ぐことができる。
【００１９】
請求項４記載の発明によれば、２台のヘッドユニットを伝送部材どうしが互いに接触することがないように装備することができる。したがって、伝送部材と支持部材との接触や、伝送部材どうしの接触を避けながら、２台のヘッドユニットにより実装を行うことによって実装効率が高くなる表面実装機を提供することができる。
【００２０】
請求項５記載の発明によれば、ヘッドユニットの両端部を支持部材によって支持することができる。このため、ヘッドユニットの重量によって支持部材に第１の方向に延びる中心線回りに捻るようなモーメントが作用することはないか、作用したとしても無視できるほど小さい。したがって、この発明による表面実装機においては、ヘッドユニット用の伝送部材を支持部材より高い位置に保持するために離間保持部材を装備していることからヘッドユニットの重量が増大しているにもかかわらず、電子部品を被載置位置に正確に載置することができる。
【発明を実施するための最良の形態】
【００２１】
（第１の実施の形態）
以下、本発明に係る表面実装機の一実施の形態を図１ないし図１５によって詳細に説明する。
図１は本発明に係る表面実装機の構成を示す平面図で、同図においては、伝送部材のＵ字状屈曲部にハッチングを施してある。図２は本発明に係る表面実装機の側面図で、同図は伝送部材および伝送部材を支持するための部材を省略した状態で描いてある。図３は表面実装機をプリント配線板の搬送方向の上流側から見た状態を示す側面図、図４は電子部品移動装置の構成を示す斜視図、図５はヘッドユニットの構成を示す平面図、図６はヘッドユニットの側面図である。図７〜図９は第３の駆動装置の構成を示す断面図で、図７は図６におけるVII−VII線断面図、図８は図６におけるVIII−VIII線断面図、図９は図６におけるIX−IX線断面図である。
【００２２】
図１０は吸着ヘッドの縦断面図で、同図は図５におけるX−X線断面図である。図１１は本発明に係る表面実装機の斜視図で、同図は伝送部材および伝送部材を支持するための部材を省略した状態で描いてある。図１２はヘッドユニットの一部を拡大して示す斜視図、図１３は部品認識用カメラの構成を示す斜視図、図１４は部品認識用カメラを支持部材に装着した形態を示す図である。図１５はケーブル保持部材を示す斜視図である。
【００２３】
これらの図において、符号１で示すものは、この実施の形態による表面実装機を示す。この表面実装機１は、図１〜図３および図１１に示すように、基台２と、この基台２上に設けられたコンベア３と、後述するヘッドユニット４，５を移動させるための電子部品移動装置６とを備えている。この電子部品移動装置６は、ヘッドユニット４，５をコンベア３の搬送方向と平行なＸ方向（図１においては左右方向）と、このＸ方向とは交差するＹ方向（図１においては上下方向）とに移動させるものである。この実施の形態においては、前記Ｘ方向が本発明でいう第１の方向になり、前記Ｙ方向が本発明でいう第２の方向になる。
【００２４】
前記基台２は、Ｘ方向の両端部に位置する側部支持台７，７と、これらの側部支持台７，７どうしの間に相対的に低くなるように形成された主支持部８とを備えている。前記側部支持台７，７の上方には、図１、図３および図４に示すように、後述する伝送部材１１の第１のＵ字状屈曲部１２を支持するための第１の支承部材１３，１４が設けられている。前記第１のＵ字状屈曲部１２は、図３および図４に示すように、コンベア３の搬送方向の上流側から見て横向きＵ字状に屈曲した状態で第１の支承部材１３，１４の上に載せられている。なお、図示してはいないが、第１のＵ字状屈曲部１２における第１の支承部材１３，１４に載せられた下側の端部は、第１の支承部材１３，１４に固定部材（図示せず）によって移動することがないように固定されている。
【００２５】
前記伝送部材１１は、ヘッドユニット４，５をＸ方向に移動させるためのモータ１５（図１、図２および図９参照）のケーブルと、ヘッドユニット４，５に装備されている後述するモータのケーブルと、両ヘッドユニット４，５に設けられた吸着ノズル１６（図６、図１０および図１２参照）に負圧を導くための負圧パイプなどによって構成されている。
【００２６】
この伝送部材１１は、基台２内の制御装置１７（図４参照）から表面実装機１の後述する複数の固定部に固定されるとともに、ヘッドユニット４，５の移動を許容するように横向きＵ字状に屈曲させられたりしながら（例えば前記第１のＵ字状屈曲部１２）、ヘッドユニット４，５側に導かれている。この実施の形態による伝送部材１１は、２台のヘッドユニット４，５と対応させて基台２のＸ方向の一端側と他端側とに対をなすように装備されている。
【００２７】
前記負圧パイプは、両端部が保持されることにより可撓性を有しつつ一定の形状を維持する弾性材料によって形成されている。伝送部材１１を構成する複数のケーブルと負圧パイプとは、この実施の形態においては、１本の帯状を呈する伝送部材１１が構成されるように、水平方向に並ぶ状態で互いに接着されている。すなわち、複数のケーブルと負圧パイプとが互いに接着されていることにより、この伝送部材１１は、可撓性を有しながらも第１の支承部材１３，１４の上で倒れることなく起立する。なお、複数のケーブルや負圧パイプは、図１５に示すように、従来の表面実装機において広く使用されているケーブル保持部材、すなわち複数のケーブルや負圧パイプが中空部内に挿通されて屈曲方向を１方向のみに規制するようなケーブルベア（登録商標）１０によって保持することもできる。
【００２８】
このケーブルベア１０は、第１のガイド１０ａと、この第１のガイド１０ａに連結ピン１０ｃによって回動自在に連結された第２のガイド１０ｂとを交互に連結することによって形成されている。前記第１のガイド１０ａは、一対のサイドプレート１０ｄ，１０ｄと、これらのサイドプレートどうしを接続する一対のガイドプレート１０ｅ，１０ｅとを備えている。
第２のガイド１０ｂは、一対のサイドプレート１０ｆ，１０ｆと、これらのサイドプレートどうしを接続する一対のガイドプレート１０ｇ，１０ｇとを備えている。
【００２９】
第１のガイド１０ａのサイドプレート１０ｄの端部と、第２のガイド１０ｂのサイドプレート１０ｆの端部とは、互いに重ねられた状態で連結ピン１０ｃによって連結されている。第１のガイド１０ａのサイドプレート１０ｄの端部には、ストッパーピン１０ｈが側方に突出するように設けられている。第２のガイド１０ｂのサイドプレート１０ｆの端部には、前記ストッパーピン１０ｈが当接する切欠き部１０ｉが形成されている。これらのストッパーピン１０ｈと切欠き部１０ｉとは、第１のガイド１０ａと第２のガイド１０ｂとが直線状に並ぶ状態で互いに当接し、この状態から連結ピン１０ｃを中心にして第１のガイド１０に対して第２のガイド１０ｂを一方向にのみ回すことができるように構成されている。
【００３０】
このケーブルベア１０においては、サイドプレート１０ｄ，１０ｄ，１０ｆ，１０ｆと、ガイドプレート１０ｅ，１０ｅ，１０ｇ，１０ｇとによって囲まれた空間内にケーブル１０ｊと負圧パイプ１０ｋとが挿入される。図１６においては、ケーブル１０ｊと負圧パイプ１０ｋとをそれぞれ１本ずつしか描いていないが、これらはそれぞれ後述する吸着ヘッド５２〜５４の数に対応し複数本ずつ用いられる。
【００３１】
前記第１の支承部材１３，１４は、図４に示すように、伝送部材１１を保持するために断面形状が溝形となるように形成されている。この第１の支承部材１３，１４は、側部支持台７，７の上方でＹ方向に延びるとともに、この表面実装機１の装置前側の端部（図１においては下側の端部）において下方に延びるように形成されている。
【００３２】
第１の支承部材１３，１４の上に載せられた前記第１のＵ字状屈曲部１２は、Ｙ方向に延びるＹ方向延在部分１２ａ，１２ｂが上下方向に並ぶ状態で横向きＵ字状に屈曲している。この第１のＵ字状屈曲部１２は、この表面実装機１の装置前側に向けて開放するように屈曲している。
【００３３】
この第１のＵ字状屈曲部１２におけるＹ方向に延びる上下一対のＹ方向延在部分１２ａ，１２ｂのうち、下側に位置するＹ方向延在部分１２ｂは、図３および図４に示すように、第１の支承部材１３，１４に沿って装置前側の端部において下方に延び、基台２内に設けられた制御装置１７に接続されている。図４においては、表面実装機１の装置前側の端部において下方に延びる伝送部材１１を１本の２点鎖線によって描いてあるが、実際には複数のケーブルと負圧パイプとが２点鎖線に沿って延びている。
【００３４】
前記上下一対のＹ方向延在部分１２ａ，１２ｂのうち、上側に位置するＹ方向延在部１２ａは、後述する箱状の第１の固定部材２１を通って下方かつ基台２のＸ方向の中央側に延ばされている。
【００３５】
前記コンベア３は、前記主支持部８に搭載されており、側部支持台７に形成された搬送口７ａ（図１１参照）を通してプリント配線板９（図１１参照）を図１において右側から左側へ搬送する。このコンベア３には、プリント配線板９を基台２の略中央部となる実装位置に固定するためのクランプ機構（図示せず）が設けられている。
【００３６】
基台２の主支持部８上であってＹ方向の両端部には、電子部品２２（図１３参照）を供給するための多数のテープフィーダー２２ａ，２２ａ‥‥（図１および図１１参照）が設けられている。前記電子部品移動装置６は、このテープフィーダー２２ａの部品供給部２２ｂ（図１１参照）と、前記実装位置にあるプリント配線板９との間でヘッドユニット４，５を移動させるように構成されている。
【００３７】
この電子部品移動装置６は、図１〜図３および図１１に示すように、前記基台２の側部支持台７に搭載されている。この側部支持台７上には、Ｙ方向に延びるＹ方向ガイドレール２３が取付けられている。このＹ方向ガイドレール２３には、後述する支持部材２４がＹ方向に移動自在に支持されている。
【００３８】
支持部材２４は、図１に示すように、平面視において前記Ｙ方向ガイドレール２３と交差する方向（Ｘ方向）に延びる一対の第１の枠部２５，２５と、これらの第１の枠部２５，２５の間に位置する第２の枠部２６，２６とによって額縁状に形成されている。前記一対の第１の枠部２５，２５どうしは、これら第１の枠部２５，２５どうしの間に後述するヘッドユニット４，５の一部を収容することができるように、所定の間隔を保つように離間させている。第１の枠部２５は、Ｘ方向の両端部においてそれぞれＹ方向ガイドレール２３に支持されている。
【００３９】
前記第２の枠部２６は、Ｙ方向に延びるように形成され、第１の枠部２５のＸ方向の端部どうしを接続しており、前記Ｙ方向ガイドレール２３に支持されている。
この第２の枠部２６には、支持部材２４をＹ方向に往復動させるためのＹ方向駆動装置３１が接続されている。支持部材２４を額縁状に形成するためには、第１の枠部材２５、２５と、この第１の枠部材２５、２５の間に位置する第２の枠部材２６、２６とをそれぞれ個別の部材で構成し、これらの部材を結合させることによって額縁状に組立てる手法と、前記各部材を鋳造や鍛造等により額縁状に一体に形成する手法とを採ることができる。
【００４０】
前記Ｙ方向駆動装置３１は、前記側部支持台７の上でＹ方向に延びる状態で側部支持台７に回転自在に支持されたボールねじ軸３２と、このボールねじ軸３２を回転させるモータ３３と、ボールねじ軸３２に螺合するボールねじナット３２ａ（図１１参照）を有しかつ前記第２の枠部２６に設けられた連結部材３４とを備えている。この連結部材３４は、第２の枠部２６のＹ方向の中央部に接続されている。このＹ方向駆動装置３１によって、本発明でいう支持部材用移動装置が構成されている。
【００４１】
支持部材２４を構成する一対の第１の枠部２５には、Ｘ方向に延びるＸ方向ガイドレール２５がそれぞれ取付けられている。これらのＸ方向ガイドレール３５，３５は、後述するヘッドユニット４，５の支持枠３６（図１，２および図４参照）をＸ方向に移動自在に支持している。また、前記第１の枠部２５の上には、ヘッドユニット４，５をＸ方向に平行移動させるためのＸ方向駆動装置３７，３７が設けられている。
【００４２】
この実施の形態による表面実装機１においては、支持部材２４に２台のヘッドユニット４，５が搭載されているために、Ｘ方向駆動装置３７も２台設けられている。２台のヘッドユニット４，５のうち図１において左側に位置する第１のヘッドユニット４は、一対の第１の枠部２５，２５のうち図１において上側に位置する第１の枠部２５に設けられたＸ方向駆動装置３７によって駆動する。図１において右側に位置する第２のヘッドユニット５は、図１において下側に位置する第１の枠部２５に設けられたＸ方向駆動装置３７によって駆動する。
【００４３】
Ｘ方向駆動装置３７は、第１の枠部２５の上でＸ方向に延びる状態で第１の枠部２５に回転自在に支持されたボールねじ軸３８と、このボールねじ軸３８を回転させる前記モータ１５と、ボールねじ軸３８に螺合するボールねじナット３９とを備えている。このボールねじナット３９は後述する支持枠３６に回転が規制されるように取付けられている。
【００４４】
前記支持部材２４を構成する一対の第１の枠部２５のうち装置後側（図１において上側）に位置する第１の枠部２５には、図１，３および図４に示すように、２系統ある伝送部材１１，１１の各々の第２のＵ字状屈曲部４１を支持するための第２の支承部材４２が設けられている。この第２の支承部材４２は、図１に示すように、支持部材２４のＸ方向の一端部から他端部に延びるように形成されており、図３に示すように、第１の枠部２５における装置後側の側面に装置後側へ突出するように取付けられている。この第２の支承部材４２によって本発明でいう支承部材が構成されている。
【００４５】
また、支持部材２４におけるＸ方向の両端部には、図１および図３に示すように、門形状の支持ブラケット４３が立設されており、この支持ブラケット４３を介して前記第１の固定部材２１が取付けられている。この第１の固定部材２１は、伝送部材１１の一部を支持部材２４に対して固定するためのものである。詳述すると、第１の固定部材２１は、伝送部材１１における前記第１のＵ字状屈曲部１２の一端部と、前記第２の支承部材４２の上でＸ方向に延びる第２のＵ字状屈曲部４１の一端部とを支持部材２４に対して固定している。
【００４６】
第１のＵ字状屈曲部１２の前記一端部を構成するケーブル・負圧パイプは、第１の固定部材２１を貫通して上下方向に延びる部位においては、曲がり易いように１本ずつ分離している。この分離部分は、第１の固定部材２１の下方であって第２の支承部材４２の上において、基台２におけるＸ方向の中央側を指向するようにそれぞれ曲げられている。第２の支承部材４２の上でＸ方向に延びる前記ケーブル・負圧パイプは、帯状の伝送部材１１の第２のＵ字状屈曲部４１を構成するように互いに接着されている。
【００４７】
第２のＵ字状屈曲部４１は、図４に示すように、第２の支承部材４２の上を基台２におけるＸ方向の中央側に向けて延び、前記中央側において上下方向に反転して上記とは逆方向に延び、さらに、上下方向に反転して横向きＵ字状に延びている。この第２のＵ字状屈曲部４１における最も上でＸ方向に延びるＸ方向延在部分４１ａは、図４に示すように、後述する第２の固定部材４４の上端部に固定されている。この第２のＵ字状屈曲部４１によって本発明でいうＵ字状屈曲部が構成されている。
【００４８】
第２の固定部材４４は、図３および図４に示すように、後述するヘッドユニット４，５の支持枠３６に第２の支承部材４２の上方までＹ方向に延びるように設けられた保持部材４５の上に取付けられている。この保持部材４５は、図３に示すように、支持部材２４の第１の枠部２５より高い位置に位置づけられている。この第２の固定部材４４と前記保持部材４５とによって、本発明でいう離間保持部材４６が構成されている。
【００４９】
第１のヘッドユニット４と第２のヘッドユニット５は、互いに同一の構造のものであり、図１に示すように、支持部材２４に前後方向が反対となるように搭載されている。このため、ここにおいては、第１のヘッドユニット４について詳細に説明し、第２のヘッドユニット５については、同一符号を付し詳細な説明は省略する。
【００５０】
第１のヘッドユニット４は、図５および図６に示すように、平面視において矩形状に形成された主フレーム５１と、この主フレーム５１の内側（ヘッドユニット４の中間部またはヘッドユニット５の中間部）に設けられた第１〜第３の吸着ヘッド５２〜５４と、部品認識用カメラ５５などを備えている。前記主フレーム５１は、図５に示すように、装置前側（図５においては下側）に位置する前壁５６と、後壁５７と、左側壁５８および右側壁５９などによって構成されている。
【００５１】
前記主フレーム５１の前壁５６と後壁５７とにおけるＸ方向の両端部には、図５に示すように、ヘッドユニット４を前記支持枠３６に取付けるための脚部材６０が設けられている。これらの脚部材６０は、前壁５６および後壁５７からＹ方向に突出しており、図６に示すように、支持枠３６の上に載せられて固定されている。
【００５２】
支持枠３６は、図４に示すように、Ｘ方向に延びる一対の枠部材３６ａ，３６ｂと、Ｙ方向に延びる一対の枠部材３６ｃ，３６ｄとによって平面視において額縁状に形成されており、前記Ｘ方向ガイドレール３５に移動自在に支持されている。前記主フレーム５１は、この支持枠３６の内部に挿入され、脚部材６０を介して支持枠３６に支持されている。第１のヘッドユニット４を支持する支持枠３６の枠部材３６ｃと、第２のヘッドユニット５を支持する支持枠３６の枠部材３６ｄには、Ｘ方向駆動装置３７のボールねじナット３９が取付けられている。
【００５３】
前記主フレーム５１における装置前側であって、Ｘ方向の中央部には、図５および図７に示すように、Ｙ方向に延びる一対のガイド壁６１，６１が設けられている。このガイド壁６１，６１間には、Ｙ方向に延びるガイドレール６２と、このガイドレール６２に移動自在に支持されたスライダ６３とからなるＹ方向のスライド機構６４を介して後述する第１の吸着ヘッド５２が装着されている。前記ガイドレール６２は第１の吸着ヘッド５２に固定され、スライダ６３はガイド壁６１に固定されている。
【００５４】
また、主フレーム５１の前記前壁５６には、図５および図７に示すように、第１の吸着ヘッド５２をＹ方向に往復動させるための第２方向駆動装置６５が設けられている。この第２方向駆動装置６５は、主フレーム５１に軸線方向がＹ方向を指向するように取付けられたモータ６６と、このモータ６６の出力軸６６ａに設けられたボールねじ軸６７と、このボールねじ軸６７に螺合する状態で第１の吸着ヘッド５２に固定されたボールねじナット６８などによって構成されている。すなわち、第１の吸着ヘッド５２は、主フレーム５１内におけるＹ方向の一端側であってＸ方向の中央部にＹ方向にのみ移動可能に装備され、前記第２方向駆動装置６５によってＹ方向に往復動させられる。
【００５５】
前記主フレーム５１の後部には、図５に示すように、Ｘ方向に延びるガイドレール７０と、このガイドレール７０に移動自在に支持されたスライダ７１とからなるＸ方向のスライド機構７２を介して二つの副フレーム７３，７４がそれぞれＸ方向に移動自在に設けられている。前記ガイドレール７０は、主フレーム５１の後壁５７に固定され、スライダ７１は副フレーム７３，７４の後述するＸ方向延在部７３ａ，７４ａに固定されている。
【００５６】
前記二つの副フレーム７３，７４は、図５、図８および図９に示すように、主フレーム５１の後壁５７と平行にＸ方向と上下方向とに延びるＸ方向延在部７３ａ，７４ａと、このＸ方向延在部７３ａ，７４ａのＸ方向の一端からＹ方向であって前記後壁５７とは反対側へ延びるＹ方向延在部７３ｂ，７４ｂとによってそれぞれ断面Ｌ字状に形成されている。これらの副フレーム７３，７４のうち図５において左側に位置する第１の副フレーム７３のＹ方向延在部７３ｂは、Ｘ方向延在部７３ａの左側の端部に接続されている。一方、図５において右側に位置する第２の副フレーム７４のＹ方向延在部７４ｂは、Ｘ方向延在部７４ａの右側の端部に接続されている。
【００５７】
前記二つの副フレーム７３，７４のＹ方向延在部７３ｂ，７４ｂには、図８および図９に示すように、第２、第３の吸着ヘッド５３，５４を副フレーム７３，７４とともにＸ方向に移動させるための第１方向駆動装置７５がそれぞれ設けられている。これらの第１方向駆動装置７５は、主フレーム５１の左側壁５８または右側壁５９に軸線方向がＸ方向を指向するように取付けられたモータ７６と、このモータ７６の出力軸７６ａに設けられたボールねじ軸７７と、このボールねじ軸７７に螺合する状態で前記Ｙ方向延在部７３ｂ，７４ｂに固定されたボールねじナット７８などによって構成されている。
【００５８】
二つの副フレーム７３，７４のうち図５において左側に位置する第１の副フレーム７３を駆動する第１方向駆動装置７５のモータ７６は、図５に示すように、主フレーム５１の左側壁５８から左側方に突出するように取付けられ、他方の第２の副フレーム７４を駆動する第１方向駆動装置７５のモータ７６は、主フレーム５１の右側壁５９から右側方に突出するように取付けられている。
【００５９】
前記第１の副フレーム７３のＹ方向延在部７３ｂにおける主フレーム５１の左側壁５８とは反対側には、図５および図９に示すように、Ｙ方向に延びるガイドレール７９と、このガイドレール７９に移動自在に支持されたスライダ８０とからなるＹ方向のスライド機構８１を介して第２の吸着ヘッド５３がＹ方向に移動自在に装着されている。
【００６０】
一方、第２の副フレーム７４のＹ方向延在部７４ｂにおける主フレーム５１の右側壁５９とは反対側には、図５に示すように、Ｙ方向に延びるガイドレール８２と、このガイドレール８２に移動自在に支持されたスライダ８３とからなるＹ方向のスライド機構８４を介して第３の吸着ヘッド５４がＹ方向に移動自在に装着されている。これら二つのスライド機構８１，８４のガイドレール７９，８２は、第２、第３の吸着ヘッド５３，５４に固定され、スライダ８０，８３はＹ方向延在部７３ｂ，７４ｂに固定されている。
【００６１】
前記第１の副フレーム７３のＸ方向延在部７３ａと、第２の副フレーム７４のＸ方向延在部７４ａとには、図９および図１０に示すように、第２、第３の吸着ヘッド５３，５４をＹ方向に移動させるための第２方向駆動装置８５がそれぞれ設けられている。
【００６２】
これらの第２方向駆動装置８５，８５は、副フレーム７３，７４のＸ方向延在部７３ａ，７４ａに軸線方向がＹ方向を指向するように取付けられたモータ８６と、このモータ８６の出力軸８６ａに設けられたボールねじ軸８７と、このボールねじ軸８７に螺合する状態で第２または第３の吸着ヘッド５３，５４に固定されたボールねじナット８８などによって構成されている。前記二つのモータ８６，８６は、主フレーム５１の後壁５７に形成された開口部５７ａ（図９参照）を通り主フレーム５１から後方に突出している。前記開口部５７ａは、第２、第３の吸着ヘッド５３，５４とともに前記モータ８６がＸ方向に移動するときにこのモータ８６と後壁５７との干渉を避けるためのものである。
【００６３】
すなわち、第２の吸着ヘッド５３と第３の吸着ヘッド５４とは、主フレーム５１の内側にＸ方向とＹ方向とにそれぞれ移動自在に装備され、前記第１方向駆動装置７５によって主フレーム５１に対してＸ方向に往復動させられるとともに、前記第２方向駆動装置８５によって主フレーム５１に対してＹ方向に往復動させられる。
【００６４】
第１〜第３の吸着ヘッド５２〜５４は、図６、図１０および図１２に示すように、前記第２方向駆動装置６５，８５のボールねじナット６８，８８が取付けられた吸着ヘッド本体９１と、この吸着ヘッド本体９１に上下方向（以下においてはＺ方向という）のスライド機構９２を介して昇降自在に支持された昇降部材９３と、この昇降部材９３の下端部に取付けられた吸着ノズル１６などを備えている。
前記Ｚ方向のスライド機構９２は、吸着ヘッド本体９１に上下方向に延びるように固定されたガイドレール９４と、このガイドレール９４に昇降自在に支持されかつ昇降部材９３に固定されたスライダ９５とから構成されている。
【００６５】
前記吸着ヘッド本体９１は、主フレーム５１をＺ方向に貫通する長さに形成されており、昇降部材９３を昇降させるためのＺ方向駆動装置１０１を備えている。このＺ方向駆動装置１０１は、吸着ヘッド本体９１の上端部に軸線が下方を指向する状態で取付けられたモータ１０２と、このモータ１０２の出力軸１０２ａに接続されたボールねじ軸１０３と、このボールねじ軸１０３に螺合する状態で昇降部材９３に固定されたボールねじナット１０４などによって構成されている。
【００６６】
前記昇降部材９３は、吸着ノズル１６をＺ方向の軸線回りに回転自在に支持しており、この吸着ノズル１６を前記軸線回りに回転させるための回転駆動装置１０５と、吸着ノズル１６から空気を吸引するための空気吸引用パイプ１０６（図１２参照）とを備えている。この空気吸引用パイプ１０６は、図示していない切換弁装置を介して前記負圧パイプに接続されている。前記回転駆動装置１０５は、昇降部材９３における吸着ノズル１６の上方の部位に軸線が下方を指向するように設けられたモータ１０７によって吸着ノズル１６を回転させる構成が採られている。
【００６７】
このように構成された第１〜第３の吸着ヘッド５２〜５４は、図５に示すように、吸着ノズル１６がＸ方向に一列に並ぶように主フレーム５１に装備されている。詳述すると、第１の吸着ヘッド５２は、主フレーム５１の前部であってＸ方向の中央部に前壁５６から後方に延びるように設けられている。第２の吸着ヘッド５３と第３の吸着ヘッド５４とは、主フレーム５１の後部であってＸ方向の両側部に後壁５７から前方に延びるようにそれぞれ設けられている。
【００６８】
第１〜第３の吸着ヘッド５２〜５４をこのように主フレーム５１に装着することによって、３個の吸着ノズル１６の相互の間隔を第１方向駆動装置７５によって変えることができるとともに、各吸着ノズル１６の主フレーム５１に対するＹ方向の位置を第２方向駆動装置６５，８５によって変えることができる。すなわち、この実施の形態による表面実装機１においては、吸着ノズル１６どうしの間隔を多数のテープフィーダー２２ａの設置間隔と一致させることができるから、３本の吸着ノズル１６によって一度に電子部品２２を吸着することができる。
【００６９】
吸着ノズル１６に電子部品２２を吸着したときの吸着ノズル１６に対する電子部品２２の位置は、主フレーム５１に設けられた部品認識用カメラ５５（図５、図６および図１３参照）により電子部品２２を下方から撮像し、画像処理によって検出する。
【００７０】
部品認識用カメラ５５は、図５、図６および図１３に示すように、主フレーム５１の右側壁５９から右方（図１３においては左方）に突出するとともに軸線がＸ方向を指向する状態で前記右側壁５９に支持されたモータ１１１と、このモータ１１１の出力軸１１１ａに設けられたボールねじ軸１１２と、このボールねじ軸１１２に螺合するボールねじナット１１３が固定された移動部材１１４と、この移動部材１１４に取付けられたカメラ本体１１５とから構成されている。
【００７１】
前記移動部材１１４は、Ｘ方向に延びるガイドレール１１６（図１３参照）と、このガイドレール１１６に移動自在に支持されたスライダ１１７とからなるＸ方向のスライド機構１１８によって主フレーム５１の下端部にＸ方向へ移動自在に支持されている。このスライド機構１１８は、図５に示すように、移動部材１１４が第２の吸着ヘッド５３より外側（左側）の位置と、第３の吸着ヘッド５４より外側（右側）の位置との間で移動できるように形成されている。また、前記移動部材１１４は、図１３に示すように、多数の照明用ＬＥＤ１１９を備え、撮影時には、吸着ノズル１６に吸着された電子部品２２に下方から光を照射するように構成されている。
【００７２】
カメラ本体１１５は、リニアセンサやエリアセンサなどの撮像素子（図示せず）を備え、図６に示すように、Ｙ方向に延びるように移動部材１１４に取付けられている。この部品認識用カメラ５５による電子部品２２の撮像は、吸着ノズル１６に電子部品２２が吸着されている状態で前記モータ１１１を有するボールねじ式の駆動装置１２０によって移動部材１１４をＸ方向に移動させながら、移動部材１１４内に設けられたミラー（図示せず）を介して吸着ノズル１６側を下方から見上げるようにして行われる。
【００７３】
この部品認識用カメラ５５によって検出された電子部品２２の吸着位置ずれは、前記第１方向駆動装置７５と第２方向駆動装置６５，８５の駆動により各吸着ノズル１６の位置を変えることによって修正する。第１の吸着ヘッド５２に設けた吸着ノズル１６において生じた吸着位置ずれは、第２方向駆動装置６５により第１の吸着ヘッド５２をＹ方向に移動させるとともに、ヘッドユニット４，５をＸ方向駆動装置３７によってＸ方向に移動させることによって修正する。また、第１の吸着ヘッド５２において、電子部品２２がＺ方向の軸線回りに回されたような状態で吸着されている場合は、回転駆動装置１０５により吸着ノズル１６を回転させることによって上記回転方向の位置ずれを修正する。
【００７４】
第２の吸着ヘッド５３と第３の吸着ヘッド５４とに設けた吸着ノズル１６で生じた吸着位置ずれは、前記ヘッドユニット４，５のＸ方向への移動量を加算した状態で第１方向駆動装置７５により第２，第３の吸着ヘッド５３，５４をＸ方向に移動させ、かつ第２方向駆動装置８５によって第２，第３の吸着ヘッド５３，５４をＹ方向に移動させることによって修正する。また、第２および第３の吸着ヘッド５３，５４において、電子部品２２がＺ方向の軸線回りに回されたような状態で吸着されている場合は、回転駆動装置１０５により吸着ノズル１６を回転させることによって上記回転方向の位置ずれを修正する。
【００７５】
この表面実装機１においては、上述した第１方向駆動装置７５と第２方向駆動装置６５，８５とによって３本の吸着ノズル１６の相互の間隔と、各吸着ノズル１６の主フレーム５１に対するＹ方向の位置とを変えることができるから、吸着ノズル１６毎に電子部品２２をプリント配線板９の所定の実装位置に位置決めすることができる。すなわち、この表面実装機１では、電子部品２２を３本の吸着ノズル１６によってプリント配線板９に同時に実装することができる。
【００７６】
この実施の形態における部品認識カメラ５５は、図５、図６および図１３に示すように、主フレーム５１の下面に取り付け、第１のヘッドユニット４や第２のヘッドユニット５がＸ方向に移動中でも停止していても、またどの位置にあっても、モータ１１１の駆動により、吸着された部品の認識を可能とするものである。一方、部品認識用カメラ５５は、図１４に示すように、支持部材２４の下面に取り付けることもできる。
【００７７】
図１４に示す部品認識用カメラ５５は、支持部材２４の一方の第１の枠部２５にＸ方向のスライド機構１２１を介して支持されている。このスライド機構１２１は、第１の枠部２５に固定されたガイドレール１２２と、このガイドレール１２２に移動自在に支持されかつ移動部材１１４に固定されたスライダ１２３とによって構成されている。この形態を採るに当たって、モータ１１１は、図示していないブラケットによって第１の枠部２５に支持、固定されている。
【００７８】
これによると、同様、第１のヘッドユニット４や第２のヘッドユニット５をＸ方向に移動中モータ１１１を駆動して部品認識用カメラ５５をＸ方向に移動させることで、相対速度を高める場合には短時間に部品認識が可能となる。なお、部品認識用カメラ５５を支持部材２４の下面に取り付ける場合、固定することでスライド機構１２１やモータ１１１が不要になる分、部品認識用カメラ５５を軽量化することができる。
【００７９】
このように構成されたヘッドユニット４，５に装備されているモータ６６，７６，８６，１０２，１０７，１１１のケーブルと、空気吸引用パイプ１０６に負圧を導くための負圧パイプと、部品認識用カメラ５５のケーブルなどは、各ヘッドユニット４，５毎に設けられている前記保持部材４５の内部に支持枠３６の近傍において挿入され、この保持部材４５と第２の固定部材４４との内部を通って第２の固定部材４４から上方に導出される。
【００８０】
第２の固定部材４４から導出された前記ケーブルと負圧パイプなどのケーブル類は、帯状の伝送部材１１が構成されるように互いに接着され、図４に示すように、第１の固定部材２１との間において第２のＵ字状屈曲部４１を構成するように屈曲させられる。この伝送部材１１における各ヘッドユニット４，５と第２のＵ字状屈曲部４１の間の部位、すなわち第２の固定部材４４と前記保持部材４５の内部を通って第２の支承部材４２の上方に至る部位によって本発明でいう延在部が構成されている。
さらに、この伝送部材１１は、前記第１の固定部材２１と第１の支承部材１３，１４上の固定部（図示せず）との間において第１のＵ字状屈曲部１２を構成するように屈曲させられ、基台２の装置前側の端部に沿って下方に導かれた後に制御装置１７に接続される。
【００８１】
上述したヘッドユニット用の伝送部材１１におけるヘッドユニット４，５と第２のＵ字状屈曲部４１との間の延在部は、保持部材４５と第２の固定部材４４とからなる離間保持部材４６によって支持部材２４から上方に離間した位置に保持されている。
このため、この表面実装機１によれば、前記伝送部材１１は、支持部材２４から上方に離間する状態で支持部材２４の上を横切るようになる。したがって、この表面実装機１においては、前記伝送部材１１の第２のＵ字状屈曲部４１を支持部材２４におけるヘッドユニット４，５とは反対側の側部に保持する構成を採りながら、伝送部材１１と支持部材２４とが擦れ合うことがない。この結果、この表面実装機１によれば、伝送部材１１が支持部材２４と擦れ合うことがないようにしながら、伝送部材１１の点検を装置後側から容易に行うことができるようになった。
【００８２】
この実施の形態による表面実装機１においては、前記伝送部材１１における第２の支承部材４２の上に位置する第２のＵ字状屈曲部４１の高さは、図３に示すように、支持部材２４より高くなるように形成されている。このため、この表面実装機１によれば、伝送部材１１におけるヘッドユニット４，５と第２の支承部材４２との間の部位を確実に支持部材２４から上方に離間させることができる。したがって、この表面実装機１によれば、伝送部材１１と支持部材２４とが擦り合うことをより一層確実に防ぐことができる。
【００８３】
この実施の形態による表面実装機１において、ヘッドユニット４，５は、Ｘ方向に並ぶ状態で一つの支持部材２４に２台装備され、これらのヘッドユニットのうち支持部材２４の一端側に位置する第１のヘッドユニット４に接続された伝送部材１１は、第２の支承部材４２上の前記一端側に通され、支持部材２４の他端側に位置する第２のヘッドユニット５に接続された伝送部材１１は、第２の支承部材４２上の前記他端側に通されている。
【００８４】
このため、この表面実装機１によれば、２台のヘッドユニット４，５を伝送部材１１どうしが互いに接触することがないように装備することができる。したがって、この表面実装機１によれば、伝送部材１１と支持部材２４との接触や、伝送部材１１どうしの接触を避けながら、２台のヘッドユニット４，５により実装を行うことによって実装効率を高めることができる。
【００８５】
この実施の形態による表面実装機１において、支持部材２４は、平面視において額縁状に形成され、ヘッドユニット４，５は、平面視において前記支持部材２４の内側に位置付けられ、かつＸ方向に並ぶ状態で一つの支持部材２４に２台装備されている。
このため、この表面実装機１によれば、ヘッドユニット４，５のＹ方向の両端部を支持部材２４によって支持することができるから、ヘッドユニット４，５の重量によって支持部材２４にモーメントが作用することはないか、作用したとしても無視できるほど小さくなる。したがって、この表面実装機１においては、ヘッドユニット用の伝送部材１１を支持部材２４より高い位置に保持するために離間保持部材４６を装備していることからヘッドユニット４，５の重量が増大しているにもかかわらず、電子部品２２を被載置位置に正確に載置することができる。
【００８６】
（第２の実施の形態）
本発明に係る表面実装機は図１６〜図１９に示すように構成することができる。
図１６および図１７は装置後側に伝送部材を通した他の実施の形態を示し、図１６は平面図、図１７はプリント配線板の搬送方向の上流側から見た側面図である。図１８は伝送部材の第２のＵ字状屈曲部の位置を変えた他の実施の形態を示す平面図である。図１９は支持部材の構造を変えた他の実施の形態を示す斜視図である。これらの図において、前記図１〜図１４によって説明したものと同一もしくは同等の部材については、同一符号を付し詳細な説明は適宜省略する。
【００８７】
図１６および図１７に示す表面実装機１は、制御装置１７が基台２の装置後側に搭載されている。このため、この表面実装機１の第１の支承部材１３，１４は、伝送部材１１が基台２の後面に沿って上側に延びるように形成されている。この実施の形態による伝送部材１１の第１のＵ字状屈曲部１２は、装置後側へ向けて開放する横向きＵ字状を呈するように屈曲している。
【００８８】
図１８に示す表面実装機１は、支持部材２４のＹ方向の両端部にそれぞれ第２の支承部材４２を備えている。また、第２のヘッドユニット５の伝送部材１１を支持する保持部材４５と第２の固定部材４４は、この実施の形態では支持枠３６の装置前側の端部に設けられている。第２のヘッドユニット５に接続された伝送部材１１は、この装置前側に位置する保持部材４５と第２の固定部材４４によって支持部材２４より高い位置に保持され、支持部材２４の装置前側でＸ方向に延びる第２の支承部材４２に載せられている。
図１６〜図１８に示すように構成しても第１の実施の形態を採る場合と同じ効果を奏する。
【００８９】
図１９に示す支持部材２４は、従来の表面実装機に使用されているものと同じ構造のものである。この支持部材２４の装置前側の一側部には、Ｘ方向に延びるＸ方向ガイドレール３５が設けられ、このガイドレール３５によってヘッドユニット４がＸ方向に移動自在に支持されている。一方、支持部材２４の他側部には、伝送部材１１の第２のＵ字状屈曲部４１を支持するための第２の支承部材４２が設けられている。なお、図１９には１台のヘッドユニット４しか描かれていないが、ヘッドユニットは一つの支持部材２４にＸ方向に並ぶ状態で２台装備することができる。
【００９０】
この実施の形態によるヘッドユニット４は、３本の吸着ヘッド５２〜５４をＸ方向に並ぶように装備している。各吸着ヘッド５２〜５４は、同じ構造を採り、吸着ノズル１６を昇降させるためのＺ方向駆動装置１０１と、吸着ノズル１６を回動させるための回転駆動装置１０５とを備えている。各吸着ヘッド５２〜５４に設けられたモータ１０２，１０７のケーブル１３１，１３２と、吸着ノズル１６に負圧を導くための負圧パイプ１３３とからなる伝送部材１１は、ヘッドユニット４から装置後側に延びる保持部材４５に保持され、保持部材４５の先端部に取付けられた第２の固定部材４４を通って第２の支承部材４２の上方に導かれている。
【００９１】
前記保持部材４５は、前記支持部材２４より高い位置に位置付けられるとともに、前記第２の支承部材４２の上方に臨むようにヘッドユニット４から装置後側に延ばされている。
前記負圧パイプ１３３は、両端部が保持されることにより一定の形状を維持する弾性材料によって形成されている。そして、この負圧パイプ１３３は、一端部が昇降部材９３に支持されるとともに、他端部が前記保持部材４５に支持されており、このように両端部の移動が規制されることにより自らの剛性によって自立している。Ｚ方向駆動装置１０１のモータ１０２のケーブル１３１と、回転駆動装置１０５のモータ１０７のケーブル１３２とは、前記負圧パイプ１３３に結束部材１３４によって離れることがないように沿わせられている。すなわち、前記ケーブル１３１，１３２は、モータ１０２，１０７と保持部材４５との間で垂れ下がることがないように負圧パイプ１３３に保持されている。
【００９２】
この実施の形態によるヘッドユニット４を備えた表面実装機１において、ヘッドユニット用の伝送部材１１のうち負圧パイプ１３３は、自らの剛性により支持部材２４から上方に離間する状態を保持し、保持部材４５から第２の固定部材４４を通って下方の第２の支承部材４２側に延ばされている。ヘッドユニット用伝送部材１１のうちケーブル１３１，１３２は、前記負圧パイプ１３３によって支持部材２４から上方に離間する位置に保持され、保持部材４５から第２の固定部材４４を通って下方の第２の支承部材４２側に延ばされている。
【００９３】
このため、この表面実装機１においては、前記ケーブル１３１，１３２と前記負圧パイプ１３３とは支持部材２４から上方に離間する状態で支持部材２４の上を横切るようになる。したがって、この表面実装機１においては、前記伝送部材１１の第２のＵ字状屈曲部４１を支持部材２４におけるヘッドユニット４とは反対側の側部に保持する構成を採りながら、伝送部材１１と支持部材２４とが擦れ合うことがない。この結果、この表面実装機１によれば、伝送部材１１が支持部材２４と擦れ合うことがないようにしながら、伝送部材１１の点検を装置後側から容易に行うことができる。
なお、負圧パイプ１３３にケーブル１３１，１３２を沿わせて保持させる上記構成は、図１ないし図１８に示した額縁状の支持部材２４を有する表面実装機１にも適用することができる。
【図面の簡単な説明】
【００９４】
【図１】本発明に係る表面実装機の構成を示す平面図である。
【図２】本発明に係る表面実装機の構成を示す側面図である。
【図３】表面実装機をプリント配線板の搬送方向の上流側から見た状態を示す側面図である。
【図４】電子部品移動装置の構成を示す斜視図である。
【図５】ヘッドユニットの構成を示す平面図である。
【図６】ヘッドユニットの側面図である。
【図７】図６におけるVII−VII線断面図である。
【図８】図６におけるVIII−VIII線断面図である。
【図９】図６におけるIX−IX線断面図である。
【図１０】図５におけるX−X線断面図である。
【図１１】本発明に係る表面実装機の斜視図である。
【図１２】ヘッドユニットの一部を拡大して示す斜視図である。
【図１３】部品認識用カメラの構成を示す斜視図である。
【図１４】部品認識用カメラを支持部材に装着した形態を示す図である。
【図１５】はケーブル保持部材を示す斜視図である。
【図１６】装置後側に伝送部材を通した他の実施の形態を示す平面図である。
【図１７】プリント配線板の搬送方向の上流側から見た側面図である。
【図１８】伝送部材の第２のＵ字状屈曲部の位置を変えた他の実施の形態を示す平面図である。
【図１９】支持部材の構造を変えた他の実施の形態を示す斜視図である。
【符号の説明】
【００９５】
２…基台２、４，５…ヘッドユニット、１１…伝送部材、１２…第１のＵ字状屈曲部、１６…吸着ノズル、２１…第１の固定部材、２３…Ｙ方向ガイドレール、２４…支持部材、２５…第１の枠部、２６…第２の枠部、３１…Ｙ方向駆動装置、３５…Ｘ方向ガイドレール、３７…Ｘ方向駆動装置、４１…第２のＵ字状屈曲部、４４…第２の固定部材、４５…保持部材、５１…主フレーム、５２…第１の吸着ヘッド、５３…第２の吸着ヘッド、５４…第３の吸着ヘッド、６５，８５…第２方向駆動装置、７５…第１方向駆動装置、１０ｊ，１３１，１３２…ケーブル、１０ｋ，１３３…負圧パイプ。
【図１】
2007194246.tif 000003
【図２】
2007194246.tif 000004
【図３】
2007194246.tif 000005
【図４】
2007194246.tif 000006
【図５】
2007194246.tif 000007
【図６】
2007194246.tif 000008
【図７】
2007194246.tif 000009
【図８】
2007194246.tif 000010
【図９】
2007194246.tif 000011
【図１０】
2007194246.tif 000012
【図１１】
2007194246.tif 000013
【図１２】
2007194246.tif 000014
【図１３】
2007194246.tif 000015
【図１４】
2007194246.tif 000016
【図１５】
2007194246.tif 000017
【図１６】
2007194246.tif 000018
【図１７】
2007194246.tif 000019
【図１８】
2007194246.tif 000020
【図１９】
2007194246.tif 000021